(57)【要約】【課題】  パーソナルコンピュータに好適な映像信号のストリーミング配信をすることできるようにする。【解決手段】  受信先との間の伝送速度が所定値未満である場合、撮像素子において混合する画素の間隔を変更する。【選択図】  図１
2006157250.tif 000002
【特許請求の範囲】
【請求項１】
光電変換が可能な複数の受光素子が２次元に配置された撮像素子と、
前記撮像素子の出力信号を用いてビデオデータを生成する映像処理手段と、
前記ビデオデータを受信先に送出する通信手段を有し、
前記受信先との間の伝送速度が所定値未満である場合、撮像素子において混合する画素の間隔を変更することを特徴とする撮像装置。
【請求項２】
光電変換が可能な複数の受光素子が２次元に配置された撮像素子と、
前記撮像素子の出力信号を用いてビデオデータを生成する映像処理手段と、
前記ビデオデータを受信先に送出する通信手段を有し、
前記受信先との間の伝送速度が所定値未満である場合、撮像素子において混合する画素数を変更することを特徴とする撮像装置。
【請求項３】
垂直方向に同色の色フィルタが配置された画素同士を混合して撮像素子から信号読み出しを行う場合に伝送速度が所定値未満ならば、前記条件を満たさない場合よりも、混合する画素の間隔が広くなるように撮像素子を駆動させることを特徴とする請求項１に記載の撮像装置。
【請求項４】
垂直方向に同色の色フィルタが配置された画素同士を混合して撮像素子から信号読み出しを行う場合に伝送速度が所定値未満ならば、前記条件を満たさない場合よりも、混合する画素数が多くなるように撮像素子を駆動させることを特徴とする請求項２に記載の撮像装置。
【請求項５】
水平方向に同色の色フィルタが配置された複数の画素を混合して撮像素子から信号読み出しを行う場合に伝送速度が所定値未満ならば、前記条件を満たさない場合よりも、混合する画素の間隔が広くなるように撮像素子を駆動させることを特徴とする請求項１に記載の撮像装置。
【請求項６】
水平方向に同色の色フィルタが配置された複数の画素を混合して撮像素子から信号読み出しを行う場合に伝送速度が所定値未満ならば、前記条件を満たさない場合よりも、混合する画素数が多くなるように撮像素子を駆動させることを特徴とする請求項２に記載の撮像装置。
【請求項７】
垂直方向および水平方向に同色の色フィルタが配置された複数の画素を混合して撮像素子から信号読み出しを行う場合に伝送速度が所定値未満ならば、前記条件を満たさない場合よりも、混合する画素の間隔が広くなるように撮像素子を駆動させることを特徴とする請求項１に記載の撮像装置。
【請求項８】
垂直方向および水平方向に同色の色フィルタが配置された複数の画素を混合して撮像素子から信号読み出しを行う場合に伝送速度が所定値未満ならば、前記条件を満たさない場合よりも、混合する画素数が多くなるように撮像素子を駆動させることを特徴とする請求項２に記載の撮像装置。
【請求項９】
垂直方向にｎ番目の画素と、ｎ＋２ｋ−１番目の画素（ｎ、ｋは自然数）を混合して撮像素子から信号読み出しを行う場合に伝送速度が所定値未満ならば、前記条件を満たさない場合よりも、混合する画素の間隔が広くなるように撮像素子を駆動させることを特徴とする請求項１に記載の撮像装置。
【請求項１０】
垂直方向にｎ番目の画素と、ｎ＋２ｋ−１番目の画素（ｎ、ｋは自然数）を混合して信号読み出しを行う場合に伝送速度が所定値未満ならば、垂直方向にｎ番目の画素と、ｎ＋２ｋ−１番目の画素（ｎ、ｋは自然数）を混合した後、水平方向にｍ番目の画素とｍ＋２ｌ番目の画素（ｍ、ｌは自然数）を混合するように撮像素子を駆動させることを特徴とする請求項２に記載の撮像装置。
【請求項１１】
垂直方向にｎ番目の画素と、ｎ＋２ｋ−１番目の画素（ｎ、ｋは自然数）を混合して信号読み出しを行う場合に伝送速度が所定値未満ならば、前記条件を満たさない場合よりも、混合する画素数が多くなるよう、垂直方向に、ｎ番目の画素と、ｎ＋２ｋ−１番目の画素と、ｎ＋４ｍ番目の画素と、ｎ＋４ｍ＋２ｌ−１番目の画素（ｎ、ｋ、ｍ、ｌは自然数）を混合するように撮像素子を駆動させることを特徴とする請求項２に記載の撮像装置。
【請求項１２】
色フィルタを持たない撮像素子から任意の画素同士を混合して撮像素子から信号読み出しを行う場合に伝送速度が所定値未満ならば、前記条件を満たさない場合よりも、混合する画素の間隔が広くなるように撮像素子を駆動させることを特徴とする請求項１に記載の撮像装置。
【請求項１３】
色フィルタを持たない撮像素子から任意の画素同士を混合して撮像素子から信号読み出しを行う場合に伝送速度が所定値未満ならば、前記条件を満たさない場合よりも、混合する画素数が多くなるように撮像素子を駆動させることを特徴とする請求項２に記載の撮像装置。
【発明の詳細な説明】
【技術分野】
【０００１】
本発明は、デジタルビデオカメラ、デジタルカメラ、デジタルカメラ付き装置等の撮像装置に関する。
【背景技術】
【０００２】
従来のデジタルビデオカメラでは、ＮＴＳＣ、ＰＡＬ等のＴＶフォーマットに準拠した映像信号のストリーミング配信を行う場合、送信領域を制限したり、映像信号のビット数を制限したりしてコマ落ちが発生しないようにしている（例えば、特許文献１）。
【特許文献１】特開２００１−３５９１００号公報
【発明の開示】
【発明が解決しようとする課題】
【０００３】
しかしながら、特許文献１等に記載のデジタルビデオカメラでは、ＴＶフォーマット（ＮＴＳＣ、ＰＡＬ等）の制約を受けるため、パーソナルコンピュータに好適な映像信号のストリーミング配信をすることはできない。
【０００４】
そこで、本発明は、パーソナルコンピュータに好適な映像信号のストリーミング配信をすることができる撮像装置を提供する。
【課題を解決するための手段】
【０００５】
本発明の撮像装置は、光電変換が可能な複数の受光素子が２次元に配置された撮像素子と、前記撮像素子の出力信号を用いてビデオデータを生成する映像処理手段と、前記ビデオデータを受信先に送出する通信手段を有し、前記受信先との間の伝送速度が所定値未満である場合、撮像素子において混合する画素の間隔を変更することを特徴とする。
【０００６】
また、本発明の撮像装置は、光電変換が可能な複数の受光素子が２次元に配置された撮像素子と、前記撮像素子の出力信号を用いてビデオデータを生成する映像処理手段と、前記ビデオデータを受信先に送出する通信手段を有し、前記受信先との間の伝送速度が所定値未満である場合、撮像素子において混合する画素数を変更することを特徴とする。
【発明の効果】
【０００７】
本発明によれば、パーソナルコンピュータに好適な映像信号のストリーミング配信をすることができる。
【発明を実施するための最良の形態】
【０００８】
以下、図面を参照して本発明に好適な実施形態を説明する。
【０００９】
［第１の実施形態］
図１は、本発明の第１の実施形態に係るビデオストリーミングシステムの構成の一例を示す図である。
【００１０】
本実施形態に係るビデオストリーミングシステムは、デジタルビデオカメラ（ＤＶＣ）１００、インターネット３００及びパーソナルコンピュータ（ＰＣ）４００から構成される。ＤＶＣ１００は、インターネット３００にパーソナルコンピュータを介さずに接続でき、インターネット３００を介してＰＣ４００に撮影映像のストリーミング配信をする機能を有する。
【００１１】
図３は、図１に示すＤＶＣ１００の構成の一例を示す図である。
【００１２】
図３において、ユーザの指示はユーザインターフェース部１５を介してＣＰＵ（Ｃｅｎｔｒａｌ  Ｐｒｏｃｅｓｓｉｎｇ  Ｕｎｉｔ）１６に入力される。ＣＰＵ１６はユーザの指示等に従ってＤＶＣ１００の動作を制御する。
【００１３】
電荷結合素子（ＣＣＤ）２は、レンズ部１を通過した被写体の光学像を撮影する。ＣＣＤ２は、光電変換が可能な複数の受光素子が２次元に配置されている。タイミングジェネレータ（ＴＧ）６は、ＣＣＤ２の駆動を制御する。ＣＤＳ＆ＡＧＣ部３は、撮像信号（ＣＣＤ２の出力信号）に対してノイズの除去、利得の調整等を行う。アナログ／デジタル（Ａ／Ｄ）変換器４は、ＣＤＳ＆ＡＧＣ部３で処理された撮像信号をデジタル化する。映像処理部５は、Ａ／Ｄ変換器４の出力信号に対してアパーチャ補正、ガンマ補正、ホワイトバランス等の映像処理を行い、Ａ／Ｄ変換器４の出力信号からビデオデータを生成する。映像処理部５で生成されたビデオデータは、デジタル／アナログ（Ｄ／Ａ）変換器７でアナログ映像信号に変換され、モニタ８に表示される。
【００１４】
バッファメモリ９は、映像処理部５で生成されたビデオデータを一時的に格納する。圧縮伸張部１０は、バッファメモリ９からビデオデータを読み出し、それを所定の映像圧縮方式（ＭＰＥＧ−２等）に従って圧縮又は伸張する。
【００１５】
ディスクインターフェースは、圧縮伸張部１０で圧縮されたビデオデータのディスク１４への記録を制御する。ディスクドライバ１３は、ディスク１４の駆動を制御する。ディスクインターフェース部１２は、圧縮伸張部１０で圧縮されたビデオデータのリアルタイムなストリーミング配信を制御する。つまり、ディスクインターフェース部１２は、撮影映像のリアルタイムなストリーミング配信を制御する。ストリーミング配信されるビデオデータは、コネクタ１７を介してＰＣ４００にストリーミング配信される。
【００１６】
図４は、図１に示すＰＣ４００の構成の一例を示す図である。
【００１７】
図４において、ユーザの指示は、ユーザインターフェース部４０１を介してＣＰＵ（Ｃｅｎｔｒａｌ  Ｐｒｏｃｅｓｓｉｎｇ  Ｕｎｉｔ）４０２に入力される。ＣＰＵ４０２はユーザの指示等に従ってＰＣ４００の動作を制御する。
【００１８】
ネットワークインターフェース部４０３は、コネクタ４０４を介してＤＶＣ１００からのビデオデータを受信し、受信したビデオデータをメモリ４０５に格納する。ＣＰＵ４０２はメモリ４０５からビデオデータを読み出し、それを伸張する。ＣＰＵ４０２で伸張されたビデオデータは、表示装置４０７に供給される。表示装置４０７は、ＣＰＵ４０２から供給されたビデオデータを表示する。表示装置４０７は、ＰＣ４００と一体的なものであっても、取り外し可能なものであってもよい。
【００１９】
ハードディスク装置４０６は、ＣＰＵ４０２での実行が可能なコンピュータプログラム等を記憶する。本実施形態におけるＰＣ４００の動作は、ハードディスク装置４０６に記憶されたコンピュータプログラムによって実現されるものとする。
【００２０】
図５（ａ）は、本実施形態におけるＣＣＤ２の色フィルタの配列を示す図である。本実施形態では、図５（ａ）に示すような原色ベイヤー配列を採用する。図５（ａ）に示す原色ベイヤー配列は、赤（Ｒ）と緑（Ｇ）が交互に並ぶラインと、緑（Ｇ）と青（Ｂ）が交互に並ぶラインとを垂直方向に１ライン毎に有する構成である。なお、本実施形態におけるＣＣＤ２は、ＮＴＳＣの有効ライン数に相当する４８０本のラインを垂直方向に有するものとする。
【００２１】
ＣＣＤ２の信号読み出し方法は、撮影映像をディスク１４に記録する撮影モードと、撮影映像のストリーミング配信を行うビデオストリーミングモードとで異なる。ＣＣＤ２の信号読み出し方法は、ＣＰＵ１６の命令を受けたＴＧ６がそれぞれ異なる駆動信号をＣＣＤ２に供給することによって切り替えられるものとする。
【００２２】
図６（ａ）は、撮影モードが選択された場合におけるＣＣＤ２の信号読み出し方法を説明するための図である。この場合、撮影映像はディスク１４に記録されるので、各フィールドのライン数はＴＶフォーマットの有効ライン数の１／２（ＮＴＳＣの場合には２４０ライン）であり、各フィールドにおいてＲＧが交互に並ぶラインと、ＧＢが交互に並ぶラインが垂直方向１ラインおきに繰り返すようなインターレース信号を生成する必要がある。
【００２３】
本実施形態では、図６（ａ）に示すように、一方のフィールドでは同色の画素を１ラインおきに混合して読み出し、もう一方のフィールドでは、画素の組み合わせを変えて同色の画素を１ラインおきに混合して読み出す。例えば、図６（ａ）に示すように、フィールドＦ１において、赤（Ｒ）と緑（Ｇ）が交互にＲ‘００，Ｇ’０１，Ｒ‘０２，Ｇ’０３と並んでいるラインでの各画素の信号は、原色ベイヤー配列ＣＣＤ上の同色画素であるＲ００とＲ２０、Ｇ０１とＧ２１、Ｒ０２とＲ２２、Ｇ０３とＧ２３を混合して読み出したものである。同様に、フィールドＦ１において、緑（Ｇ）と青（Ｂ）が交互にＧ‘１０，Ｂ’１１，Ｇ‘１２，Ｂ’１３と並んでいるラインでの各画素の信号は、原色ベイヤー配列ＣＣＤ上の同色画素であるＧ１０とＧ３０、Ｂ１１とＢ３１、Ｇ１２とＧ３２、Ｂ１３とＢ３３を混合して読み出したものである。
【００２４】
一方、フィールドＦ２において、赤（Ｒ）と緑（Ｇ）が交互に並ぶラインＲ‘２０，Ｇ’２１，Ｒ‘２２，Ｇ’２３の各画素の信号は、Ｒ２０とＲ４０、Ｇ２１とＧ４１、Ｒ２２とＲ４２、Ｇ２３とＧ４３を混合して読み出したものであり、同様に、フィールドＦ２において、緑（Ｇ）と赤（Ｒ）が交互に並ぶラインＧ‘３０，Ｂ’３１，Ｇ‘３２，Ｂ’３３の各画素の信号は、Ｇ３０とＧ５０、Ｂ３１とＢ５１、Ｇ３２とＧ５２、Ｂ３３とＢ５３を混合して読み出したものである。
【００２５】
この垂直同色混合による読み出し方法により、各フィールド２４０ラインのインターレース信号を生成する。
【００２６】
図６（ｂ）は、ビデオストリーミングモードが選択された場合におけるＣＣＤ２の信号読み出し方法を説明するための図である。この場合、撮影映像をディスク１４に記録する必要がなく、ＰＣ４００で撮影映像を表示するだけよいから、ＤＶＣ１００はＴＶフォーマット（ＮＴＳＣ、ＰＡＬ等）の制約を受けない。すなわち、１フィールド分の信号ライン数がＴＶフォーマットの有効垂直画素数の１／２である必要はないので、垂直方向に混合して読み出す画素の選び方を、図６（ｂ）に示すように３画素おきとして、例えば、フィールドＦ１において赤（Ｒ）と緑（Ｇ）が交互に並ぶラインＲ‘００，Ｇ’０１，Ｒ‘０２，Ｇ’０３の各画素の信号を、Ｒ００とＲ４０、Ｇ０１とＧ４１、Ｒ０２とＲ４２、Ｇ０３とＧ４３を混合して読み出し、フィールドＦ１において緑（Ｇ）と青（Ｇ）が交互に並ぶラインＧ‘１０，Ｂ’１１，Ｇ‘１２，Ｂ’１３の各画素の信号を、Ｇ１０とＧ５０、Ｂ１１とＢ５１、Ｇ１２とＧ５２、Ｂ１３とＢ５３を混合して読み出すことができ、各フィールドの信号ライン数がＴＶフォーマットの有効垂直画素数の１／２未満に減少する。
【００２７】
この場合、ＰＣ４００にストリーミング配信をする際のデータレートが低下するため、ストリーミング配信される撮影映像の解像度は落ちるものの、データ量が少ない分、伝送路の伝送速度が低下したときに映像がコマ落ちするリスクを回避できる。
【００２８】
ビデオストリーミングモードにおいて、図６（ａ）及び図６（ｂ）のいずれの方法でＣＣＤ２を駆動させるかは、ＤＶＣ１００とＰＣ４００を結ぶネットワークの伝送速度によって決める。
【００２９】
図１０は、伝送速度の測定動作を説明するためのフローチャートである。
【００３０】
ステップＳ１００１で伝送速度の測定を開始し、ＤＶＣ１００からＰＣ４００にテストデータを送信する（ステップＳ１００２）。このときＤＶＣ１００では不図示のタイマーで時間を計る（ステップＳ１００３）。ＰＣ４００からテストデータを受信した旨の着信レポートを受信したら（ステップＳ１００４）、図３のＣＰＵ１６で、計測時間とテストデータの大きさから伝送速度を算出する（ステップＳ１００５）。伝送速度を算出したら、測定を終了する（ステップＳ１００６）。
【００３１】
次に、ビデオストリーミングモードを選択した場合におけるＤＶＣ１００の動作を図８のフローチャートを用いて説明する。
【００３２】
ステップＳ８０１で撮影映像のストリーミング配信を開始したら、ディスク１４に記録中かどうかを判別し（ステップＳ８０２）、記録中であれば、上述のように、ＴＧ６の駆動によりＣＣＤ２からは図６（ａ）のように垂直方向１ラインおきに同色の画素を混合して読み出しを行う。（ステップＳ８０６）。
【００３３】
ビデオストリーミングモードのとき、ＰＣ４００から高解像度映像を要求していれば（ステップＳ８０３）、無条件で図６（ａ）のように垂直方向に同色の色フィルタの配置された画素を１画素おきに混合して信号を読み出す（ステップＳ８０６）。
【００３４】
ＰＣ４００から高画質を要求されていなければ、ステップＳ８０４で第１１図のフローチャートにより伝送路の伝送速度の測定を行う。伝送速度が既定値以上なら（ステップＳ８０５）、データ量が多くても、映像が途切れるリスクが少ないので、撮影モードと同様の信号読み出しを行う（ステップＳ８０６）。
【００３５】
伝送速度が既定値以下ならば、映像が途切れるリスクを回避するため、データ量を減らすために、図６（ｂ）に示すように、垂直方向３ラインおきに同色の画素を混合して読み出しを行う。（ステップＳ８０７）。
【００３６】
図６（ｂ）の読み出し時には、図３のモニタ８に映像を表示するためには、映像処理部５において、フィールド画を補間する必要があるが、このときは、配信映像を記録するわけではなく、配信画角の確認ができればよいので、変換により画質の劣化があっても問題ではない。
【００３７】
次に、デジタルビデオカメラ２００でビデオストリーミングモードが選択された場合におけるＰＣ４００の動作を図９のフローチャートを用いて説明する。
【００３８】
受信された映像信号は、図４のハードディスク装置４０６から起動されたインターレース―プログレッシブ（Ｉ−Ｐ）変換ソフトによってメモリ４０５に一時的に格納され、Ｉ−Ｐ変換を施される（ステップＳ９０２）。
【００３９】
このとき、たとえ映像が途切れることがあっても、受信者が高画質映像を見たいという要求をユーザインターフェース部４０１に入力すれば（ステップＳ９０３）、ＣＰＵ４０２はネットワークインターフェース部４０３を介してデジタルビデオカメラ２００に高画質要求信号を送信する（ステップＳ９０４）。
【００４０】
本実施形態では、ＤＶＣ１００の記録媒体としてディスクを例に挙げたが、テープ、半導体メモリ等の他の記録媒体でもよい。また、撮像素子の垂直方向の画素数の例として「４８０」を挙げたが、所定のＴＶフォーマットに準拠していれば、他の値でもよい。
【００４１】
また、本実施形態では、垂直方向に同色の色フィルタの配置された画素同士を混合して撮像素子からの信号読み出しを行う例を挙げたが、水平方向に同色の画素を選んで混合する場合や、垂直方向、水平方向の両方について画素を混合して信号読み出しを行ってもよい。
【００４２】
また、本実施形態では、ビデオストリーミングモード時のデータレートを低下させるために、混合して読み出す画素の間隔を広げる例を示したが、混合して読み出す画素数を増やすことにより、ビデオストリーミングモード時のデータレートを低下させてもよい。
【００４３】
また、本実施形態は、ＣＣＤの代わりにＣＭＯＳイメージセンサ等の撮像素子を採用することも可能である。
【００４４】
このように、本実施形態によれば、ビデオストリーミングモードが選択された場合には加算して読み出しされる２ラインの間隔を伝送速度に応じて変更することができるので、パーソナルコンピュータでの表示に好適な映像信号のストリーミング配信をすることできる。
【００４５】
［第２の実施形態］
本発明の第２の実施形態は、前述の第１の実施形態の一部を変更した実施形態である。従って、第１の実施形態と実質的に同一の部分については説明を省略する。
【００４６】
本実施形態が第１の実施形態と異なる点は、ＣＣＤ２に配置される色フィルタがＹＭＣＧから成る補色ベイヤー配列となっている点である。
【００４７】
図５（ｂ）は、本実施形態におけるＣＣＤ２の色フィルタの配列を示す図である。
【００４８】
本実施形態では、図５（ｂ）に示すような補色ベイヤー配列を採用する。図５（ｂ）に示す補色ベイヤー配列は、黄（Ｙ）とシアン（Ｃ）が交互に並ぶラインと、マゼンダ（Ｍ）と緑（Ｇ）が交互に並ぶラインとを垂直方向に１ライン毎に有する構成である。但し、黄（Ｙ）とシアン（Ｃ）の水平方向の並び方は、黄（Ｙ）とシアン（Ｃ）が交互に並ぶライン毎に反転する。なお、本実施形態におけるＣＣＤ２は、前述の第１の実施形態と同様に、ＮＴＳＣの有効ライン数に相当する４８０本のラインを垂直方向に有するものとする。
【００４９】
ＣＣＤ２の信号読み出し方法は、撮影映像をディスク１４に記録する撮影モードと、撮影映像のストリーミング配信を行うビデオストリーミングモードとで異なる。ＣＣＤ２の信号読み出し方法は、ＣＰＵ１６の命令を受けたＴＧ６がそれぞれ異なる駆動信号をＣＣＤ２に供給することによって切り替えられるものとする。
【００５０】
図７（ａ）は、撮影モードが選択された場合におけるＣＣＤ２の信号読み出し方法を説明するための図である。この場合、撮影映像はディスク１４に記録されるので、各フィールドのライン数がＴＶフォーマットの有効ライン数の１／２（ＮＴＳＣの場合には２４０ライン）のインターレース信号を生成する必要がある。
【００５１】
補色ベイヤー配列では、垂直方向に隣接する２ラインを加算して読み出すため、各フィールドの読み出し信号は、黄（Ｙ）・マゼンダ（Ｍ）の混色によって得られる画素ＹＭ（又はＭＹ）と、シアン（Ｃ）、緑（Ｇ）の混色によって得られる画素ＣＧ（又はＧＣ）が交互に繰り返すラインと、シアン（Ｃ）・マゼンダ（Ｍ）の混色によって得られる画素ＣＭ（又はＭＣ）と、黄（Ｙ）・緑（Ｇ）の混色によって得られる画素ＹＧ（又はＧＹ）が交互に繰り返すラインによって構成され、この２つのラインが垂直方向に交互に出現する。
【００５２】
例えば、図７（ａ）に示すように、フィールドＦ１で、画素の並びがＭＣ１０，ＧＹ１１，ＭＣ１２，ＧＹ１３であるラインは、ＣＣＤ２において画素の並びがＭ１０，Ｇ１１，Ｍ１２，Ｇ１３であるラインと画素の並びがＣ２０，Ｙ２１，Ｃ２２，Ｙ２３であるラインを垂直方向に加算して読み出したものであり、フィールドＦ１で、画素の並びがＭＹ３０，ＧＣ３１，ＭＹ３２，ＧＣ３３であるラインは、ＣＣＤ２において画素の並びがＭ３０，Ｇ３１，Ｍ３２，Ｇ３３であるラインと画素の並びがＹ４０，Ｃ４１，Ｙ４２，Ｃ４３であるラインを垂直方向に加算して読み出したものである。
【００５３】
また、もう一方のフィールドでは、加算する２ラインの組み合わせを変えて信号読み出しを行う。すなわち、フィールドＦ２で、画素の並びがＹＭ００，ＣＧ０１，ＹＭ０２，ＣＧ０３であるラインは、ＣＣＤ２において画素の並びがＹ００，Ｃ０１，Ｙ０２，Ｃ０３であるラインと画素の並びがＭ１０，Ｇ１１，Ｍ１２，Ｇ１３であるラインを垂直方向に加算して読み出したものであり、フィールドＦ２で、画素の並びがＣＭ２０，ＹＧ２１，ＣＭ２２，ＹＧ２３であるラインは、ＣＣＤ２において画素の並びがＣ２０，Ｙ２１，Ｃ２２，Ｙ２３であるラインと画素の並びがＭ３０，Ｇ３１，Ｍ３２，Ｇ３３であるラインを垂直方向に加算して読み出したものである。
【００５４】
図７（ｂ）は、ビデオストリーミングモードが選択された場合におけるＣＣＤ２の信号読み出し方法を説明するための図である。この場合、撮影映像をディスク１４に記録する必要がなく、ＰＣ４００で撮影映像を表示するだけよいから、ＤＶＣ１００はＴＶフォーマット（ＮＴＳＣ、ＰＡＬ等）の制約を受けない。すなわち、１フィールド分の信号ライン数がＴＶフォーマットの有効垂直画素数の１／２である必要はないので、隣接する２ラインを垂直方向に混合して読み出すのではなく、図７（ｂ）に示すように２ラインとばした次のラインについて、垂直方向に各画素を加算して読み出す。この場合も、フィールドごとに、加算読み出しをする２ラインの組み合わせを変えて信号を読み出す。
【００５５】
例えば、フィールドＦ１において画素の並びがＹＭ７０，ＣＧ７１，ＹＭ７２，ＣＧ７３であるラインは、ＣＣＤ２において画素の並びがＹ４０，Ｃ４１，Ｙ４２，Ｃ４３であるラインと画素の並びがＭ７０，Ｇ７１，Ｍ７２，Ｇ７３であるラインを垂直方向に加算して読み出したものである。また、フィールドＦ２において、画素の並びがＹＭ３０，ＣＧ３１，ＹＭ３２，ＣＧ３３であるラインは、ＣＣＤ２において画素の並びがＹ００，Ｃ０１，Ｙ０２，Ｃ０３であるラインと画素の並びがＭ３０，Ｇ３１，Ｍ３２，Ｇ３３であるラインを垂直方向に加算して読み出したものである。
【００５６】
上記のような組み合わせで垂直方向に加算するラインを選び、信号を読み出すと、各フィールドの信号ライン数がＴＶフォーマットの有効垂直画素数の１／２未満に減少する。
【００５７】
この場合、ＰＣ４００にストリーミング配信をする際のデータレートが低下するため、ストリーミング配信される撮影映像の解像度は落ちるものの、データ量が少ない分、伝送路の伝送速度が低下したときに映像がコマ落ちするリスクを回避できる。
【００５８】
ビデオストリーミングモードにおいて、図７（ａ）及び図７（ｂ）のいずれの方法でＣＣＤ２を駆動させるかは、ＤＶＣ１００とＰＣ４００を結ぶネットワークの伝送速度によって決める。
【００５９】
伝送速度の測定手順、モードによるＣＣＤ２の駆動切り替え動作、およびビデオストリーミングモード時のＰＣ４００の動作は第１の実施形態と同様であるので説明を省略する。
【００６０】
本実施形態では、ＤＶＣ１００の記録媒体としてディスクを例に挙げたが、テープ、半導体メモリ等の他の記録媒体でもよい。また、撮像素子の垂直方向の画素数の例として「４８０」を挙げたが、所定のＴＶフォーマットに準拠していれば、他の値でもよい。
【００６１】
また、本実施形態では、垂直方向に混合して読み出す画素の間隔を変えることで、データレートを低下させたが、垂直方向に隣接する２ライン上の画素を混合した後、色フィルタの混色の関係を保ったまま、水平方向に画素を混色して信号を読み出してもよい。
【００６２】
また、本実施形態では、ビデオストリーミングモード時のデータレートを低下させるために、混合して読み出す画素の間隔を広げる例を示したが、混合して読み出す画素数を増やすことにより、ビデオストリーミングモード時のデータレートを低下させてもよい。
【００６３】
また、本実施形態は、ＣＣＤの代わりにＣＭＯＳイメージセンサ等の撮像素子を採用することも可能である。
【００６４】
このように、本実施形態によれば、ビデオストリーミングモードが選択された場合には加算して読み出しされる２ラインの間隔を伝送速度に応じて変更することができるので、パーソナルコンピュータでの表示に好適な映像信号のストリーミング配信をすることできる。
【００６５】
［第３の実施形態］
第３の実施形態は、前述の第１及び第２の実施形態の何れかの一部を変更した実施形態である。
【００６６】
本実施形態では、ＣＣＤ２が、３ＣＣＤ、モノクロＣＣＤ等である場合を説明する。
【００６７】
本実施形態が第１及び第２の実施形態と異なる点は、ＣＣＤ２の信号読み出し方法が異なる点である。本実施形態では、ビデオストリーミングモードにおいて任意の位置の画素同士を混合して読み出すことで、データレートを低下させる。また、データレートを低下させるための方法としては、混合して読み出す画素の間隔を広くとることと、混合して読み出す画素数を多くとることが考えられる。
【００６８】
ＣＣＤ２の信号読み出し方法以外の動作は、第１及び第２の実施形態の何れかと同様にすることができるので説明を省略する。
【００６９】
なお、本実施形態は、ＣＣＤの代わりにＣＭＯＳイメージセンサ等の撮像素子を採用することも可能である。
【００７０】
［第４の実施形態］
図２は、本発明の第４の実施形態に係るビデオストリーミングシステムの構成の一例を示す図である。
【００７１】
本実施形態では、ＤＶＣ１００はインターネット３００に直接接続する機能は持たず、パーソナルコンピュータ（ＰＣ）２００を介してインターネット３００に接続する点で、第１及び第２の実施形態と異なる。
【００７２】
本実施形態では、図１０で示した伝送路の伝送速度の測定をＰＣ２００で行う。そして、ＰＣ２００は、その測定の結果に基づいてＣＣＤ２の信号読み出し方法を変更するための制御信号をＤＶＣ１００に送信する。その他の動作は、第１、第２及び第３の実施形態の何れかと同様にすることができるので説明を省略する。
【００７３】
なお、本実施形態は、ＣＣＤの代わりにＣＭＯＳイメージセンサ等の撮像素子を採用することも可能である。
【図面の簡単な説明】
【００７４】
【図１】第１及び第２の実施形態に係るビデオストリーミングシステムの構成の一例を示す図である。
【図２】第４の実施形態に係るビデオストリーミングシステムの構成の一例を示す図である。
【図３】図１及び図２に示すデジタルビデオカメラ１００の構成の一例を示す図である。
【図４】図１及び図２に示すパーソナルコンピュータ４００の構成の一例を示す図である。
【図５】色フィルタの配列を示す図である。
【図６】第１の実施形態におけるＣＣＤ２の信号読み出し方法を説明するための図である。
【図７】第２の実施形態におけるＣＣＤ２の信号読み出し方法を説明するための図である。
【図８】ビデオストリーミングモードを選択した場合におけるデジタルビデオカメラ１００の動作を説明するためのフローチャートである。
【図９】デジタルビデオカメラ２００でビデオストリーミングモードが選択された場合におけるパーソナルコンピュータ４００の動作を説明するためのフローチャートである。
【図１０】伝送速度の測定動作を説明するためのフローチャートである。
【図１】
2006157250.tif 000003
【図２】
2006157250.tif 000004
【図３】
2006157250.tif 000005
【図４】
2006157250.tif 000006
【図５】
2006157250.tif 000007
【図６】
2006157250.tif 000008
【図７】
2006157250.tif 000009
【図８】
2006157250.tif 000010
【図９】
2006157250.tif 000011
【図１０】
2006157250.tif 000012